(57)【要約】【課題】    本発明の目的は、脱水効率を高めたスクリュー脱水機及びスクリュー脱水方法を提供するものである。【解決手段】    スクリュー脱水機１は、スクリーン１１と、このスクリーン１１の一端に形成された排出開口部１４に臨む処理物の排出部１５と、スクリーン１１の内方に位置する部位においてスクリュー羽根１２が螺旋状に取り付けられたスクリュー軸１６と、処理物の排出部１５に位置し、排出開口部１４との距離が可変となるようにスクリュー軸１６に移動可能に外嵌される抵抗体１３と、を備えたスクリュー脱水機１であって、抵抗体１３に取り付けられ、スクリュー軸１６と抵抗体１３との外嵌部位よりの漏れ水を受けて案内する水受け案内部材１０と、この水受け案内部材１０の下方に位置して、水受け案内部材１０からの水を受けて、外部へ排出する外部水排出部材２０とを備えているものである。【選択図】図２
2018192513.tif 000002
【特許請求の範囲】
【請求項１】
スクリーンと、
このスクリーンの一端に形成された排出開口部に臨む処理物の排出部と、
前記スクリーンの内方に位置する部位においてスクリュー羽根が螺旋状に取り付けられたスクリュー軸と、
前記処理物の排出部に位置し、前記排出開口部との距離が可変となるように前記スクリュー軸に移動可能に外嵌される抵抗体と、
を備えたスクリュー脱水機であって、
前記抵抗体に取り付けられ、前記スクリュー軸と前記抵抗体との外嵌部位よりの漏れ水を受けて案内する水受け案内部材と、
この水受け案内部材の下方に位置して、前記水受け案内部材からの水を受けて、外部へ排出する外部水排出部材とを備えている
ことを特徴とするスクリュー脱水機。
【請求項２】
水受け案内部材は、環状筒体を有し、
この環状筒体の内壁面が水受け案内部材である
ことを特徴とする請求項１記載のスクリュー脱水機。
【請求項３】
スクリーンと、
このスクリーンの一端に形成された排出開口部に臨む処理物の排出部と、
前記スクリーンの内方に位置する部位においてスクリュー羽根が螺旋状に取り付けられたスクリュー軸と、
前記処理物の排出部に位置し、前記排出開口部との距離が可変となるように前記スクリュー軸に移動可能に外嵌される抵抗体と、
を備えたスクリュー脱水機であって、
前記抵抗体は、前記スクリュー軸に移動可能に外嵌され、
前記スクリュー軸と前記抵抗体との外嵌部位よりの前記スクリュー羽根の加圧による前記処理物から生じる漏れ水を外部水排出部材により外部へ排出して、
前記スクリュー羽根と前記抵抗体との間で圧縮された処理物に前記スクリュー軸と前記抵抗体との外嵌部位よりの漏れ水が混入することを防ぐ
ことを特徴とするスクリュー脱水方法。
【請求項４】
スクリーンと、
このスクリーンの一端に形成された排出開口部に臨む処理物の排出部と、
前記スクリーンの内方に位置する部位においてスクリュー羽根が螺旋状に取り付けられたスクリュー軸と、
前記処理物の排出部に位置し、前記排出開口部との距離が可変となるように前記スクリュー軸に移動可能に外嵌される抵抗体と、
を備えたスクリュー脱水機であって、
前記抵抗体の下方に位置し、前記スクリュー軸と前記抵抗体との外嵌部位よりの漏れ水を外部へ排出する外部水排出部材とを備えている
ことを特徴とするスクリュー脱水機。
【発明の詳細な説明】
【技術分野】
【０００１】
本発明は、スクリュー脱水機及びスクリュー脱水方法に係り、特に、脱水効率を高めたスクリュー脱水機及びスクリュー脱水方法に関する。
【背景技術】
【０００２】
従来、スクリーンとこのスクリーンの内部に設けたスクリュー羽根との間の容積を、脱水出口の抵抗体に向かって縮小して処理物を加圧しながら脱水を行うスクリュー脱水機がある。
【発明の概要】
【発明が解決しようとする課題】
【０００３】
ところが、上記スクリュー脱水機にあっては、抵抗体は、スクリュー軸に移動可能に外嵌されているため、スクリュー羽根と抵抗体との間で圧縮された処理物の水がスクリュー軸と抵抗体との外嵌部位より落下し、脱水された処理物に含まれ、脱水効率が低下するという問題点が生じた。
【０００４】
本発明は、前記問題点を考慮したなされたスクリュー脱水機及びスクリュー脱水方法を提供することを目的とする。
【課題を解決するための手段】
【０００５】
請求項１記載のスクリュー脱水機は、スクリーンと、このスクリーンの一端に形成された排出開口部に臨む処理物の排出部と、前記スクリーンの内方に位置する部位においてスクリュー羽根が螺旋状に取り付けられたスクリュー軸と、前記処理物の排出部に位置し、前記排出開口部との距離が可変となるように前記スクリュー軸に移動可能に外嵌される抵抗体と、を備えたスクリュー脱水機であって、前記抵抗体に取り付けられ、前記スクリュー軸と前記抵抗体との外嵌部位よりの漏れ水を受けて案内する水受け案内部材と、
この水受け案内部材の下方に位置して、前記水受け案内部材からの水を受けて、外部へ排出する外部水排出部材とを備えているものである。
【０００６】
また、請求項２記載のスクリュー脱水機は、請求項１記載のスクリュー脱水機において、水受け案内部材は、環状筒体を有し、この環状筒体の内壁面が水受け案内部材である。
【０００７】
また、請求項３記載のスクリュー脱水方法は、スクリーンと、このスクリーンの一端に形成された排出開口部に臨む処理物の排出部と、前記スクリーンの内方に位置する部位においてスクリュー羽根が螺旋状に取り付けられたスクリュー軸と、前記処理物の排出部に位置し、前記排出開口部との距離が可変となるように前記スクリュー軸に移動可能に外嵌される抵抗体と、を備えたスクリュー脱水機であって、前記抵抗体は、前記スクリュー軸に移動可能に外嵌され、前記スクリュー軸と前記抵抗体との外嵌部位よりの前記スクリュー羽根の加圧による前記処理物から生じる漏れ水を外部水排出部材により外部へ排出して、前記スクリュー羽根と前記抵抗体との間で圧縮された処理物に前記スクリュー軸と前記抵抗体との外嵌部位よりの漏れ水が混入することを防ぐものである。
【０００８】
また、請求項４記載のスクリュー脱水機は、スクリーンと、このスクリーンの一端に形成された排出開口部に臨む処理物の排出部と、前記スクリーンの内方に位置する部位においてスクリュー羽根が螺旋状に取り付けられたスクリュー軸と、前記処理物の排出部に位置し、前記排出開口部との距離が可変となるように前記スクリュー軸に移動可能に外嵌される抵抗体と、を備えたであって、前記抵抗体の下方に位置し、前記スクリュー軸と前記抵抗体との外嵌部位よりの漏れ水を外部へ排出する外部水排出部材とを備えている
ものである。
【発明の効果】
【０００９】
請求項１記載のスクリュー脱水機によれば、抵抗体に取り付けられ、スクリュー軸と前記抵抗体との外嵌部位よりの漏れ水を受けて案内する水受け案内部材と、この水受け案内部材の下方に位置して、前記水受け案内部材からの水を受けて、外部へ排出する外部水排出部材とを備えているため、スクリュー軸と抵抗体との外嵌部位よりの漏れ水がスクリュー羽根と抵抗体との間で圧縮された処理物に混入することを防いで、脱水効率を高めることができる。
【００１０】
また、請求項２記載のスクリュー脱水機によれば、上述した請求項１記載の発明の効果に加え、水受け案内部材は、環状筒体を有し、この環状筒体の内壁面が水受け案内部材であるため、排出開口部より排出される処理物とスクリュー軸と抵抗体との外嵌部位よりの漏れ水が抵抗体、環状筒体の外壁面により遮断され、排出開口部より排出される処理物にスクリュー軸と抵抗体との外嵌部位よりの漏れ水が混入するのを防ぐことができる。
【００１１】
また、請求項３記載のスクリュー脱水方法によれば、抵抗体は、スクリュー軸に移動可能に外嵌され、前記スクリュー軸と前記抵抗体との外嵌部位よりのスクリュー羽根の加圧による処理物から生じる漏れ水を外部水排出部材により外部へ排出して、前記スクリュー羽根と前記抵抗体との間で圧縮された処理物に前記スクリュー軸と前記抵抗体との外嵌部位よりの漏れ水が混入することを防ぐため、処理物の脱水効率を高めることができる。
【００１２】
また、請求項４記載のスクリュー脱水機によれば、前記抵抗体の下方に位置し、前記スクリュー軸と前記抵抗体との外嵌部位よりの漏れ水を外部へ排出する外部水排出部材とを備えているため、スクリュー軸と前記抵抗体との外嵌部位よりの漏れ水がスクリュー羽根と抵抗体との間で圧縮された処理物に混入することを防いで、脱水効率を高めることができる。
【図面の簡単な説明】
【００１３】
【図１】図１は、本発明の一実施例のスクリュー脱水機の一使用形態を示す概略的図である。
【図２】図２は、図１のスクリュー脱水機の要部の概略的断面図である。
【図３】図３は、図２の概略的斜視図である。
【発明を実施するための形態】
【００１４】
本発明の一実施例のスクリュー脱水機及びスクリュー脱水方法を図面（図１乃至図３）を参照して説明する。
図１は本発明のスクリュー脱水機１を用いた一使用形態を示す概略的図で、スクリュー脱水機１は、スクリーン１１とこのスクリーン１１の内部に設けたスクリュー羽根１２との間の容積を、脱水出口の抵抗体１３に向かって縮小して処理物を加圧しながら脱水を行うスクリュー脱水方法に用いられるスクリュー脱水機である。
処理物は、例えば、もやし、カット野菜、お茶、白菜等の食品残渣の他、水分が付着したプラスチック等である。
処理物が食品残渣の場合、スクリュー脱水機１に投入する前に、図１に示すように、スクリューコンベア２で搬送した処理物を粉砕機３で粉砕する。粉砕された処理物は、スクリュー脱水機１の供給口１４’から投入される。
【００１５】
スクリュー脱水機１は、スクリーン１１と、このスクリーン１１の一端に形成された排出開口部１４に臨む処理物の排出部１５と、スクリーン１１の内方に位置する部位においてスクリュー羽根１２が螺旋状に取り付けられたスクリュー軸１６と、処理物の排出部１５に位置し、排出開口部１４との距離が可変となるようにスクリュー軸１６に移動可能に外嵌される抵抗体１３とを備えている。
図２及び図３に示す１０は、抵抗体１３に取り付けられ、スクリュー軸１６と抵抗体１３との外嵌部位よりの漏れ水を受けて案内する水受け案内部材で、水受け案内部材１０は、例えば、抵抗体１３に取り付けられた環状筒体を有し、この環状筒体の抵抗体１３に対向する部位は開放され、環状筒体の内壁面が水受け案内部材１０の水受け案内面となっている。図２に示す１７はバネで、ハンドル１８を回動することにより抵抗体１３の抵抗力の調整を図っている。
図２及び図３に示す２０は、水受け案内部材１０の下方に位置して、水受け案内部材１０からの水を受けて、外部へ排出する外部水排出部材である。
【００１６】
従って、スクリュー脱水機（スクリュー脱水方法）によれば、抵抗体１３に取り付けられ、スクリュー軸１６と抵抗体１３との外嵌部位よりの漏れ水を受けて案内する水受け案内部材１０と、この水受け案内部材１０の下方に位置して、水受け案内部材１０からの水を受けて、外部へ排出する外部水排出部材２０とを備えているため、スクリュー軸１６と抵抗体１３との外嵌部位（隙間）よりの漏れ水がスクリュー羽根１２と抵抗体１３との間で圧縮された処理物３０（図３参照）に混入することを防いで、脱水効率を高めることができる。
なお、処理物が葉物、根菜、もやし等の野菜の場合、脱水後の絞りかすは、例えば、他の飼料と混ぜて家畜用飼料として利用することができ、また、脱水後のろ液は、例えば、家畜の飲料として利用することができる。
【００１７】
なお、特に、排出開口部１４より排出される処理物とスクリュー軸１６と抵抗体１３との外嵌部位（隙間）よりの漏れ水が抵抗体１３、環状筒体１０の外壁面により遮断され、排出開口部１４より排出される処理物にスクリュー軸１６と抵抗体１３との外嵌部位よりの漏れ水が混入するのを防ぐことができる。
【００１８】
なお、上述した実施例にあっては、抵抗体１３に取り付けられ、スクリュー軸１６と抵抗体１３との外嵌部位よりの漏れ水を受けて案内する水受け案内部材１０と、この水受け案内部材１０の下方に位置して、水受け案内部材１０からの水を受けて、外部へ排出する外部水排出部材２０とを備えているが、場合により、図示しないが、水受け案内部材１０を省略し、抵抗体１３の下方に位置し、スクリュー軸１６と抵抗体１３との外嵌部位よりの漏れ水を外部へ排出する外部水排出部材２０を設けるだけでも良い。
かかるスクリュー脱水機１においても、抵抗体１３の下方に位置し、スクリュー軸１６と抵抗体１３との外嵌部位よりの漏れ水を外部へ排出する外部水排出部材２０とを備えているため、スクリュー軸１６と抵抗体１３との外嵌部位よりの漏れ水がスクリュー羽根１２と抵抗体１３との間で圧縮された処理物に混入することを防いで、脱水効率を高めることができる。
【符号の説明】
【００１９】
１      スクリュー脱水機
１０    水受け案内部材
１１    スクリーン
１２    スクリュー羽根
１３    抵抗体
１４    排出開口部
１５    処理物の排出部
１６    スクリュー軸
２０    外部水排出部材
【図１】
2018192513.tif 000003
【図２】
2018192513.tif 000004
【図３】
2018192513.tif 000005